(57)【特許請求の範囲】
【請求項１】
リム内に形成され、水により便鉢を洗浄可能なリム通水路を有する便器本体と、
該水を供給する給水管に入水ポートが接続され、出水ポートから該水を該便器本体に供給・停止可能であるとともに、該リム通水路の最上面より上方で大気と連通する大気孔を有する弁手段と、を備えたタンクレス便器において、
前記便器本体の上面には、前記弁手段から漏れる水を収納可能な受け部材が載置され、該便器本体は、該便器本体の壁面に隠蔽され、前記リム通水路に繋がるリム導水路を有し、該受け部材内に収納した水は該リム導水路内に排水可能になされ、該弁手段の前記出水ポートと接続されて該リム通水路に洗浄水を供給するリム給水管は、該リム導水路に内蔵され、該便器本体の該リム導水路を跨いで該リム通水路に連通されていることを特徴とするタンクレス便器。
【請求項２】
便器本体の壁面にはリム導水路に連通する通孔が貫設され、受け部材の底部と該リム導水路とは該通孔を経た排水管により連通されていることを特徴とする請求項１記載のタンクレス便器。
【請求項３】
リム内に形成され、水により便鉢を洗浄可能なリム通水路を有する便器本体と、
該水を供給する給水管に入水ポートが接続され、出水ポートから該水を該便器本体に供給・停止可能であるとともに、該リム通水路の最上面より上方で大気と連通する大気孔を有する弁手段と、を備えたタンクレス便器において、
前記便器本体の上面には、前記弁手段から漏れる水を収納可能な受け部材が載置され、該便器本体は、該便器本体の壁面に隠蔽され、前記リム通水路に繋がるリム導水路を有し、該便器本体の壁面には該リム導水路に連通する通孔が貫設され、該リム導水路には該弁手段の前記出水ポートと接続されて該リム通水路に洗浄水を供給するリム給水管が内蔵され、該受け部材の底部と該リム給水管とは該通孔を経た排水管により連通され、該リム給水管には内部を流れる水により該受け部材内に収納した水を吸引可能なオリフィスが設けられていることを特徴とするタンクレス便器。
【請求項４】
通孔は便器本体の上壁面に貫設されていることを特徴とする請求項２又は３記載のタンクレス便器。
【発明の詳細な説明】
【０００１】
【発明の属する技術分野】
本発明は、便器洗浄タンクを有さず、水道管等の給水管から供給される水を便器本体へ直接供給可能なタンクレス便器に関する。
【０００２】
【従来の技術】
近年、スペースの有効活用等の観点から、給水管から供給される水を便器本体へ直接供給可能なタンクレス便器が開発されつつある（特開平３−２５３６３０号公報）。かかるタンクレス便器では、便器本体が排泄物を受ける便鉢と、この便鉢の上部周縁に巡らされ、内部にリム通水路を有するリムと、便鉢の底に連通し、排泄物を流すトラップとを備えている。また、トラップの入口にはジェットノズルが取り付けられている。また、弁手段として、入水ポート及び第１、２出水ポートを有する開閉弁と、大気孔を有するバキュームブレーカとが採用されている。開閉弁の入水ポートには導管を介して給水管が接続され、第１出水ポートにはリム通水路まで延在するリム給水管が接続され、第２出水ポートにはジェットノズルまで延在するジェット給水管が接続されている。バキュームブレーカの大気孔はリム通水路の最上面より上方で大気と連通される。
【０００３】
かかるタンクレス便器では、給水管から導管を経て開閉弁の入水ポートに水が供給される。その水は、開閉弁の開弁により、第１出水ポートからリム給水管を経て便器本体のリム通水路に供給される。これにより、水が便鉢に射水され、便鉢の洗浄が行われる。また、その水は、開閉弁の開弁により、第２出水ポートからジェット給水管を経てジェットノズルに供給される。これにより、トラップに強制的にサイホン作用を生じさせる。これらの際、バキュームブレーカの大気孔は、それより下流側を大気に開放しているため、給水管、導管及びこれらより上流側が負圧になっても、リム通水路及びトラップ内の水を弁手段及びこれより上流側に逆流させない。
【０００４】
【発明が解決しようとする課題】
しかし、大気孔等、弁手段からは水が漏れやすく、かかる水は便器本体の便鉢内に戻すことが便宜である。この点、従来のタンクレス便器では、便器本体の後方にリム通水路に後方から繋がる排水升を上面から凹設するとともに、その排水升を連通路により便鉢に連通させている。そして、大気孔に接続した排水管を排水升内に導き、連通路から便鉢内に水を戻すこととしている。こうして上面から凹設した排水升をもつ便器本体は、形状が複雑であることから、製造が困難であり、ひいてはタンクレス便器の製造コストの高騰化を招来してしまう。
【０００５】
本発明は、上記従来の実情に鑑みてなされたものであって、弁手段から漏れる水の処理に際し、製造コストの低廉化を実現可能なタンクレス便器を提供することを解決すべき課題としている。
【０００６】
【課題を解決するための手段】
本発明のタンクレス便器は、リム内に形成され、水により便鉢を洗浄可能なリム通水路を有する便器本体と、
該水を供給する給水管に入水ポートが接続され、出水ポートから該水を該便器本体に供給・停止可能であるとともに、該リム通水路の最上面より上方で大気と連通する大気孔を有する弁手段と、を備えたタンクレス便器において、
前記便器本体の上面には、前記弁手段から漏れる水を収納可能な受け部材が載置され、該便器本体は、該便器本体の壁面に隠蔽され、前記リム通水路に繋がるリム導水路を有し、該受け部材内に収納した水は該リム導水路内に排水可能になされ、該弁手段の前記出水ポートと接続されて該リム通水路に洗浄水を供給するリム給水管は、該リム導水路に内蔵され、該便器本体の該リム導水路を跨いで該リム通水路に連通されていることを特徴とする。
【０００７】
本発明のタンクレス便器では、便器本体の上面に別部材としての受け部材が載置され、その受け部材が弁手段から漏れる水を収納する。このため、便器本体に従来のような上面から凹設した排水升を設ける必要がなく、便器本体は、形状が簡易になって製造が容易となる。
したがって、このタンクレス便器では、弁手段から漏れる水の処理に際し、製造コストの低廉化を実現することができる。
また、このタンクレス便器では、便器本体がその壁面に隠蔽されてリム通水路に繋がるリム導水路を有し、受け部材内に収納した水がリム導水路内に排水可能になされている。かかる便器本体は、リム導水路が従来の排水升のように上壁面から剥き出しでなく、美観を呈することができる。リム導水路には、弁手段の出水ポートと接続されてリム通水路に洗浄水を供給するリム給水管が内蔵されている。かかるリム給水管は、便器本体のリム導水路を跨いでリム通水路に連通されれば、給水管内の水圧が比較的低くても、リム通水路までその水圧を維持して水を導くことができるため、便鉢の洗浄能力を高めることができる。
【０００８】
受け部材としては、底部を排水管により便鉢等と連通させたものを採用することができる他、収納した水だけを使用者が簡易な方法で便鉢等に捨てることができるものも採用することができる。後者の場合、受け部材には収納した水の量を検知可能な検知手段が設けられ、検知手段の信号により排水可能になっていることが好ましい。検知手段の信号により排水可能な手段としては、受け部材の底部と便鉢等を連通する排水管が開くようにする手段の他、表示により使用者に排水時期を知らせる手段を採用することができる。これらによれば、使用者等は一々受け部材内の水の量を確認する必要がなくなり、手間を省くことができる。
【０００９】
便器本体の壁面にはリム導水路に連通する通孔が貫設され、受け部材の底部とリム導水路とが通孔を経た排水管により連通されていることが好ましい。こうであれば、受け部材内に収納した水が排水管を経てリム導水路に排水され、使用者は何ら水の排水を行う必要がなくなり、手間を省くことができる。
【００１０】
また、本発明のタンクレス便器は、リム内に形成され、水により便鉢を洗浄可能なリム通水路を有する便器本体と、
該水を供給する給水管に入水ポートが接続され、出水ポートから該水を該便器本体に供給・停止可能であるとともに、該リム通水路の最上面より上方で大気と連通する大気孔を有する弁手段と、を備えたタンクレス便器において、
前記便器本体の上面には、前記弁手段から漏れる水を収納可能な受け部材が載置され、該便器本体は、該便器本体の壁面に隠蔽され、前記リム通水路に繋がるリム導水路を有し、該便器本体の壁面には該リム導水路に連通する通孔が貫設され、該リム導水路には該弁手段の前記出水ポートと接続されて該リム通水路に洗浄水を供給するリム給水管が内蔵され、該受け部材の底部と該リム給水管とは該通孔を経た排水管により連通され、該リム給水管には内部を流れる水により該受け部材内に収納した水を吸引可能なオリフィスが設けられていることを特徴とする。こうであれば、リム給水管内を流れる水がオリフィスの下流側で加速されるため、排水管内が負圧にされる。このため、受け部材内に収納した水が排水管を経てリム給水管内に吸引され、リム給水管内を流れる水とともにリム通水路に至り、便鉢に排水される。このため、使用者は何ら水の排水を行う必要がなくなり、手間を省くことができる。
【００１１】
通孔は便器本体の上壁面に貫設されていることが好ましい。こうであれば、受け部材内の水が自重により排水管内に移動する。また、かかる通孔であれば、受け部材を便器本体の上面に載置する際、排水管の接続が容易であり、かつ美観を損ねない。
【００１２】
【発明の実施の形態】
以下、本発明を具体化した実施形態１〜４を図面を参照しつつ説明する。
（実施形態１）
実施形態１のタンクレス便器は、図１〜３に示すように、水洗式の洋風便器本体１の後方にベースプレート２を介して弁手段としての給水装置３が組込まれ、給水装置３は分岐装置４とともにカバー５により隠蔽されている。
【００１３】
便器本体１は、排泄物を受ける便鉢１ａと、便鉢１ａの上部周縁に巡らされ、内部にリム通水路１ｂを有するリム１ｃと、便鉢１ａの底に連通し、排泄物を流すトラップ１ｄとを備えている。リム通水路１ｂは、便器本体１の後壁面１ｅに隠蔽されたリム導水路１ｆに後方から繋がっている。また、トラップ１ｄの入口にはジェットノズル６が取り付けられている。なお、便座及び便蓋の図示は省略している。
【００１４】
給水装置３は、リム用開閉弁３ａと、ジェット用開閉弁３ｂと、リム用開閉弁３ａの上端前面に接続されたリム用連結部材３ｃと、ジェット用開閉弁３ｂの上端前面に接続されたジェット用連結部材３ｄと、リム用連結部材３ｃの上端に接続されたリム用バキュームブレーカ３ｅと、ジェット用連結部材３ｄの上端に接続されたジェット用バキュームブレーカ３ｆと、リム用開閉弁３ａ及びジェット用開閉弁３ｂの各シャフトを上下に移動させるカム装置３ｇと、このカム装置３ｇを駆動する駆動装置３ｈと、駆動装置３ｈに取り付けられた手動操作用のハンドル３ｉと、図示しないコントローラとからなる。
【００１５】
ジェット用開閉弁３ｂの入水ポート３ｊはリム用開閉弁３ａの図示しない入水ポートと連通されており、ジェット用開閉弁３ｂの入水ポート３ｊには導管７の一端が接続されている。導管７の他端は分岐装置４に接続されており、分岐装置４はフレキシブルホース８により図示しない止水栓を介して水道管等の給水管に接続されている。
【００１６】
リム用開閉弁３ａの図示しない第１出水ポートはリム用連結部材３ｃの第１出水ポート３ｋ及びリム用バキュームブレーカ３ｅの大気孔３ｌと接続されている。第１出水ポート３ｋはリム給水管９に接続され、大気孔３ｌは配管としてのチューブ１０に接続されている。チューブ１０には便器本体１のリム通水路１ｂの最上面より上方で大気と連通する図示しない吸気口が貫設されている。リム給水管９は、便器本体１のリム導水路１ｆを跨いでリム通水路１ｂに連通されている。リム給水管９には、図３に示すように、先端側に開いて水を右回りに吐出可能な開口９ａと、側面側に開いて水を左回りに吐出可能な開口９ｂとが形成されている。
【００１７】
ジェット用開閉弁３ｂの図示しない第２出水ポートはジェット用連結部材３ｄの第２出水ポート３ｍ及びジェット用バキュームブレーカ３ｆの大気孔３ｎと接続されている。第２出水ポート３ｍはジェット給水管１１に接続され、大気孔３ｎは配管としてのチューブ１２に接続されている。チューブ１２には便器本体１のリム通水路１ｂの最上面より上方で大気と連通する図示しない吸気口が貫設されている。ジェット給水管１１はジェットノズル６に接続されている。
【００１８】
このタンクレス便器の特徴的な構成として、給水装置３の前方に位置するベースプレート２には側方に引き出し可能な空間２ａが形成され、この空間２ａ内に箱型の受け部材１３が摺動可能に設けられている。受け部材１３の前面には取っ手１３ａが設けられている。ベースプレート２の空間２ａの上面にはチューブ１０、１２が接続されており、チューブ１０、１２内を流れる水が受け部材１３内に収納できるようになっている。
【００１９】
以上のように構成されたタンクレス便器では、給水管から止水栓、フレキシブルホース８、分岐装置４及び導管７を経て給水装置３の入水ポート３ｊに水が供給される。その水は、給水装置３におけるリム用開閉弁３ａの開弁により、第１出水ポート３ｋからリム給水管９を経て便器本体１のリム通水路１ｂに供給される。これにより、水が便鉢１ａに射水され、便鉢１ａの洗浄が行われる。また、その水は、給水装置３におけるジェット用開閉弁３ｂの開弁により、第２出水ポート３ｍからジェット給水管１１を経てジェットノズル６に供給される。これにより、トラップ１ｄに強制的にサイホン作用を生じさせる。これらの際、リム用バキュームブレーカ３ｅの大気孔３ｌと、ジェット用バキュームブレーカ３ｆの大気孔３ｎとは、それより下流側を吸気口により大気に開放しているため、給水管、止水栓、フレキシブルホース８及びこれらより上流側が負圧になっても、リム通水路１ｂ内の水を給水装置３及びこれより上流側に逆流させない。
【００２０】
そして、給水装置３の大気孔３ｌ、３ｎから漏れる水は、チューブ１０、１２を経て受け部材１３内に収納される。かかる受け部材１３は、便器本体１の上面に別部材として載置されているため、便器本体１に従来のような上面から凹設した排水升を設ける必要がなく、便器本体１は、形状が簡易になって製造が容易となっている。
【００２１】
したがって、このタンクレス便器では、給水装置３から漏れる水の処理に際し、製造コストの低廉化を実現することができる。
なお、受け部材１３が多くの水を収納すれば、使用者等は取っ手１３ａを持って空間２ａから受け部材１３を引き出し、便鉢１ａ等に捨てることができる。
（実施形態２）
実施形態２のタンクレス便器では、図４に示すように、上壁１３ｂをもつ受け部材１３を採用しており、上壁１３ｂとベースプレート２の空間２ａの上面との間に検知手段１４を設けている。この検知手段１４は、内部の水により浮上可能なフロート１４ａと、受け部材１３の上壁１３ｂに設けられ、フロート１４ａの浮上により上下に摺動可能な軸１４ｂと、空間２ａの上面に設けられ、軸１４ｂの当接により入力されるスイッチ１４ｃとを有している。スイッチ１４ｃは図示しない表示装置に接続されている。なお、受け部材１３の上壁１３ｂにはチューブ１０、１２内と連通可能な開口１３ｃ、１３ｄが設けられている。他の構成は実施形態１と同様である。
【００２２】
以上のように構成されたタンクレス便器では、給水装置３の大気孔３ｌ、３ｎから漏れる水がチューブ１０、１２及び開口１３ｃ、１３ｄを経て受け部材１３内に収納される。そして、受け部材１３が多くの水を収納すれば、フロート１４ａの浮上により軸１４ｂがスイッチ１４ｃを入力するため、表示装置にその旨が表示される。かかる表示装置の表示により、使用者等は取っ手１３ａを持って空間２ａから受け部材１３を引き出し、便鉢１ａ等にその水を捨てることができる。これにより、使用者等は一々受け部材１３内の水の量を確認する必要がなく、手間を省くことができる。他の作用効果は実施形態１と同様である。
（実施形態３）
実施形態３のタンクレス便器では、図５に示すように、ベースプレート２の一部が単に容器形状に形成された受け部材１５とされている。また、便器本体１の上壁面にはリム導水路１ｆに繋がる通孔１ｇが貫設されている。受け部材１５の底部には通孔１ｇを経てリム導水路１ｆ内に至る排水管１６が接続されている。他の構成は実施形態１と同様である。
【００２３】
以上のように構成されたタンクレス便器では、通孔１ｇが便器本体１の上壁面に貫設されているため、受け部材１５内に収納した水が自重により排水管１６内に移動し、リム導水路１ｆ内に排水される。このため、使用者は何ら水の排水を行う必要がなくなり、手間を省くことができる。
また、便器本体１は、リム導水路１ｆが従来の排水升のように上壁面から剥き出しでなく、美観を呈することができる。
【００２４】
さらに、通孔１ｇが便器本体１の上壁面に貫設されていることから、受け部材１５を便器本体１の上面に載置する際、排水管１６の接続が容易であり、かつ美観を損ねない。他の作用効果は実施形態１と同様である。
（実施形態４）
実施形態４のタンクレス便器では、図６に示すように、排水管１６がリム給水管９に接続されている。リム給水管９内にはオリフィス９ｃが形成されており、排水管１６はかかるオリフィス９ｃの小径部に接続されている。他の構成は実施形態３と同様である。
【００２５】
以上のように構成されたタンクレス便器では、リム給水管９内を流れる水がオリフィス９ｃの下流側で加速されるため、排水管１６内が負圧にされる。このため、受け部材１５内に収納した水が排水管１６を経てリム給水管９内に吸引され、リム給水管９内を流れる水とともにリム通水路１ｂに至り、便鉢１ａに排水される。こうして、使用者は何ら水の排水を行う必要がなくなり、手間を省くことができる。他の作用効果は実施形態３と同様である。
【図面の簡単な説明】
【図１】実施形態１のタンクレス便器の一部斜視図である。
【図２】実施形態１のタンクレス便器の一部縦断面図である。
【図３】実施形態１のタンクレス便器の一部平面図である。
【図４】実施形態２のタンクレス便器の要部拡大縦断面図である。
【図５】実施形態３のタンクレス便器の要部拡大縦断面図である。
【図６】実施形態４のタンクレス便器の要部拡大断面図である。
【符号の説明】
１…便器本体
１ｃ…リム
１ａ…便鉢
１ｂ…リム通水路
１ｆ…リム導水路
３…弁手段（給水装置）
３ｊ…入水ポート
３ｋ…第１出水ポート
３ｍ…第２出水ポート
３ｌ、３ｎ…大気孔
１３、１５…受け部材
１４…検知手段
１ｇ…通孔
１６…排水管
９…リム給水管
９ｃ…オリフィス
【図１】
0003637482.tif 000002
【図２】
0003637482.tif 000003
【図３】
0003637482.tif 000004
【図４】
0003637482.tif 000005
【図５】
0003637482.tif 000006
【図６】
0003637482.tif 000007